(57)【要約】【課題】  本願では、美容院等で仰向けになって髪を洗髪する時に、シャンプーの液やお湯や水が、飛散しその飛沫が顔面に飛んで、目に入って目を痛くしたり、化粧に影響を与えたりする事がないように顔面を安定的にガードするフェイスガードを提供することが目的である。【解決手段】  そこで美容室等に於いて、仰向けにシャンプーする際に、顔面に飛沫がかからない様にする飛沫防止カバーを設け、該カバーは、顔面を軽く覆う大きさにし、飛沫がかからないようにし、なおかつ乗せた時に、乗せた位置が、安定するように鼻の穴から出る息を逃がす切抜き部と口から出る息を逃がすマウスガード部を構成したことを特徴とする飛沫防止用のフェイスガードを考えた。マウスガード部は、フェイスガードを被せた時に、外見上は、唇が直接見えないように半透明状にし、なおかつ口から出す息が、抜けるように格子状ないし網目状に構成した。【特許請求の範囲】
【請求項１】
美容室等に於いて、仰向けにシャンプーする際に、顔面に飛沫がかからない様にする飛沫防止カバーに於いて、該カバーは、顔面に乗せた時に、乗せた位置が、安定するように鼻の穴から出る息を逃がす切抜き部と口から出る息を逃がすマウスガード部を構成したことを特徴とする飛沫防止用のフェイスガード
【請求項２】
前記フェイスガードの素材は、アクリル、ポリエステル等の合成繊維の布地で作り、洗濯時に乾きやすくするとともに、前記マウスガード部は、網目状布地にし、口からの息は、逃がしながら、口が直接見えないようにした事を特徴とする請求項１記載の飛沫防止用のフェイスガード
【請求項３】
前記フェイスガードは、布地全体の２次元方向に対して、鼻の高さ方向にあわせて該布地の３次元方向に、傾斜や角度を作り、該フェイスガードを顔面にかぶせた時に、該鼻の位置を基準に左右のぶれがないようにし、より安定して顔面をカバーできるようにした事を特徴とする請求項１記載の飛沫防止用のフェイスガード
【発明の詳細な説明】
【技術分野】
【０００１】本発明は、美容室等での美容補助手段に関する。
【背景技術】
【０００２】  美容室では、洗髪するときには、椅子の背を倒し、仰向けになって、頭を洗髪台の上方に持ってゆき、洗髪する。その際シャンプーやお湯の飛沫液が、露出している顔にかかって、顔がぬれる事がある。そこで、タオルやガーゼを被せて、それを防ぐようにしてきた。しかし、タオルは顔に被せていると暑苦しく、吐く息で蒸し暑くなった。タオルもガーゼも被せた位置で安定せず、ガーゼは、話をしたり、息を吐くと、顔面から飛ばされそうになって、安定しなかった。また顔面は、そもそも平坦ではなく、鼻が突出する形の立体形状となっている。そこでタオルやガーゼを被せても滑ってずり落ちると言う事があった。【０００３】  顔面に直接ガーゼをおくと不安定であるため、顔面から一定距離を採ったところで、ガーゼを平坦に置くことが出来る機器も提案されている。額と左右の頬骨の上に３つの台座を置き、その台座に垂直に立つ脚を設け、同じ高さのところで、その脚を相互に渡し、ガーゼをその脚の上に平坦に載せ、ガーゼや布が、直接顔面に接触しないようにする工夫も試されてきた。特許文献１は、そのような美容院でのシャンプー用布台座の特許で、美容院での洗髪時のシャンプー液及び水が顔に付着しないように顔に被せて使用する布が、顔に直接触れないようにした「美容院でのシャンプー用布台座」である。【特許文献１】特開２００６−２２３７６９
【０００４】  しかし鼻の高さや顔面の立体形状は、個体差があり、どのような人にも合うものにするためには、台座から垂直に伸びる脚の高さはかなり高くしなければならず、その時どうしても不安定になった。また額や頬骨に台座を固定するのは、この場合粘着力が強いゲル成型の台座を用いていたが、化粧をしている顔にこのような台座を置くことは、化粧がはげたりする原因となり、そのような事もあってなかなか普及しなかった。
【発明が解決しようとする課題】
【０００５】  そこで本願では、美容院等で仰向けになって髪を洗髪する時に、シャンプーの液やお湯や水が、飛散しその飛沫が顔面に飛んで、目に入って目を痛くしたり、化粧に影響を与えたりする事がないように顔面を安定的にガードするフェイスガードを提供することが目的である。
【課題を解決するための手段】
【０００６】  新たなフェイスガードを考えるに当たって、まず次のことを考えた。▲１▼  飛沫防止が出来る事  ▲２▼  顔面に於いて安定的にガードできる事  ▲３▼  美容院での他人が見たとき、ガーゼやタオルをおいたのと同様、違和感がないこと  ▲４▼  置いた状態で店員との会話に支障がないこと等である。
【０００７】  そこで美容室等に於いて、仰向けにシャンプーする際に、顔面に飛沫がかからない様にする飛沫防止カバーを設け、該カバーは、顔面を軽く覆う大きさにし、飛沫がかからないようにし、なおかつ乗せた時に、乗せた位置が、安定するように鼻の穴から出る息を逃がす切抜き部と口から出る息を逃がすマウスガード部を構成したことを特徴とする飛沫防止用のフェイスガードを考えた。マウスガード部は、フェイスガードを被せた時に、外見上は、唇が直接見えないように半透明状にし、なおかつ口から出す息が、抜けるように格子状ないし網目状に構成した。素材的には、布でもよいが紙で作ってもよい。
【０００８】  次に、紙で作った時には、他人の使用したものを使うわけにはいかないため、使い捨てになるが、再使用できることを考えるとフェイスガードの素材は、布地がよい。そこでアクリル、ポリエステル等の合成繊維の布地で作り、洗濯時に乾きやすくするとともに、マウスガード部は、網目状布地にし、口からの息は、逃がしながら、口が直接見えないようにした。
【０００９】  さらにフェイスガードは、布地全体の２次元方向に対して、鼻の高さ方向にあわせて該布地の３次元方向に、傾斜や角度を作り、フェイスガードを顔面にかぶせた時に、鼻が入るスペースを設けるようにした。鼻の位置にそのスペースが収まる事により、顔面にかぶせられたフェイスガードが、鼻の位置を基準に左右のぶれがないようにし、より安定して顔面をカバーできるようにした。
【発明の効果】
【００１０】  本願発明によって、美容院等で使用するお店も、お客も満足する従来にないフェイスガードを提供する事が出来た。鼻の部分は切り抜いているため、息をしてもそのまま抜け、被せたフェイスガードを持ち上げる事はない。また口の部分もマウスガード部として半透明ないし、網目状に構成し、口から吐く息を逃がすようにしているため、顔面に乗せたときに安定的におくことが出来る。そのためシャンプーに伴って飛散する飛沫が顔面に飛び散る事を防止できる。
【００１１】  これを布で作った時には、アクリルやポリエステル等の合成繊維で作り、網目状のところは、やはり合成繊維で作った網目布地で作っているため、口紅等の汚れも簡単に落ちて、洗濯、乾燥、折り畳みが簡単にでき、美容院の中でもコストをかけず再使用の準備が出来る。極めてエコロジカルな商品になっている。
【００１２】  さらに、このフェイスガードは、布地の２次元エリアの構成−鼻の部分の切り抜き、口の部分のマウスガード部の構成だけでなく、ちょうど鼻に当たる部分が、入るスペースを設け、フェイスガードを被せた時に、鼻の位置を中心線とし、左右にもぶれず、安定的にフェイスガードできるように出来ている。またこの部分は、フェイスガードを取り扱うときにこの部分を持って取り扱う事も出来、取り扱いの面でも便利になっている。
【００１３】  このフェイスガードは、顔をほぼ隠すような大きさになっている。顔面上を覆っていないのは、鼻の穴から吐き出される息を逃がす切抜き部だけであり、目の部分は隠れている。また口の部分は、マウスガード部によって、息は抜けるが、直接口が見えないように覆っているために、このフェイスガードを被った時、客は店員が洗髪作業で、店員の顔を客に近づけてきても安心して洗髪作業を任せる事が出来る。逆に店員は、洗髪の作業の際に、仰向きになった客の上に覆いかぶさるような形も含め、威圧感を与えることなく自由な姿勢をとることが出来るため、作業がやり易い。
【００１４】  飛沫防止という目的のためのフェイスガードとはいえ、これまでのタオルをそのまま被せたり、ガーゼを被せる場合に比べて美容院に必要なおしゃれな小物となっている。小さな鼻用の切抜き部、マウスガード部の半透明ないし網目布地で作った部分の組み合わせは、デザイン的にも従来にない機能美を備えている。またこの布地の生地やフェイスガードをデザイン的な工夫をして作ることが可能である。そのため客も喜んで、フェイスガードの使用を求めるようになり、サービス業として一番必要なお店とお客の間のコミュニケーションに役立つものである。
【発明の具体的な説明】
【００１５】  図１は、本願発明によるフェイスガードの１実施例の概観図である。（２）はフェイスガード、（４）は網目布地で作ったマウスガード部、（６）は切抜き部、（８）は、布を重ねて３次元方向につまみ縫いした部分、（１０）はつまみ縫いの縫製線、（１２）は、フェイスガードを被せた時に鼻の部分が入るように一定の傾きを作った部分である。
【００１６】図２は、図１のフェイスガードを二つ折した側面図であり、フェイスガードを作成する方法の説明図でもあり、フェイスガードの構成を説明する図でもある。図１と同一番号は、同一内容である。
【００１７】図１と図２について説明する。フェイスガード（２）の布地部（３）は、アクリルやポリエステル等の合成繊維を用いて作り、図３のような外形形状でマウスガード部（４）と切り抜き部（６）を除いた形状で裁断している。その上で、マウスガード部（４）の形状に裁断した合成繊維からなる網目布地を縫製して図１のようなフェイスガード（２）を作っている。
【００１８】  このとき図２で見るようにこのフェイスガード（２）は、上下の中心線（１２）で二つ折し、縫製線（１０）に沿ってつまみ縫いし、フェイスガード（２）をつかむつまみ縫い部（８）をつくり、一方で、切り抜き部（６）の端部（６−１）に向かって、縫製線（１０）の中心部から傾斜（１０−１）を持って、結んでいる。そのため、フェイスガード（２）を顔面にかぶせた時、鼻の突出部が、その傾斜に沿って入り、被せたフェイスガード（２）の上下、左右がずれないようにし、被せた状態の安定性を保っている。
【００１９】  このつまみ縫いの要点は、フェイスガード（２）をつかむ部分を作ることと、鼻の突出部に収めて、フェイスガード（２）が左右にずれないようにする点にあり、鼻の高さが高い外人向けには、図３の布地の裁断段階で、つまみ縫い部（８）の幅が大きくなるようにすることになる。
【００２０】  図４は、図１に示したフェイスガード（２）をシャンプー時の客の顔にかぶせた時の１実施例である。（１４）は顔面、（１６）は耳、（１８）は髪、（１９）は鼻の頭、（２０）は鼻の穴、（２２）は口、（２４）は、首である。被せるに当たっては、つまみ縫い部（８）をつかんでユーザの顔に被せる。切抜き部（６）からユーザの鼻の頭（１９）と鼻の穴（２０）がかすかに見える。ユーザの口（２２）もマウスガード部（４）越しに見える。
【００２１】  図のようにフェイスガード（２）は、客の顔面（１４）はごく一部だけを残してをほぼ覆い尽くしているため、シャンプー時洗剤や水が飛んでもこのフェイスガードで防いでくれる。鼻の穴（２０）や口（２２）からの息がそれぞれ切り抜き部（６）や網目布地で作っているマウスガード部（４）から抜けてゆくため、息を吐くことで、フェイスガード（２）が、ずれる事がなくなっている。このため、静かにしている時はもちろんの事、店員と話をして、息使いが粗くなっても、フェイスガードは安定している。また鼻の突出部は、つまみ部（８）の傾斜部に納まって、フェイスガードが左右にずれる事がないため、顔面に置いたフェイスガードの安定性がよい。
【００２２】  マウスガード部（４）や切抜き部（６）で、息抜きはしているものの、直接鼻の穴（２０）や口（２２）が見えにくくなっているため、ユーザは、安心していられるし、店員も洗髪に当たってユーザの顔の近くに顔を近づける事もでき、洗髪作業がやりやすくなる。
【００２３】  このフェイスガード（２）は、マウスガード部（４）を含め、合成繊維で作っているために、乾きが早い。もちろん使用感を優先し、綿等の布地で作ってもよい。その時には、洗濯はヒートポンプ機能を有した除湿型の乾燥機を用い、洗濯乾燥させればよい。
【００２４】図５は、本願によるフェイスガードの別の実施例である。（３０）は、フェイスガード、（３２）は鼻の穴の息を抜く切抜き部、（３４）はマウスガード部である。この実施例では、マウスガード部をハート型にし、子供さんなども試用しやすいようにデザインしている。形状を変えたり、色合いを変えれば、楽しく利用できるフェースガードとなる。
【００２５】  図６は、本願によるフェイスガードの別の実施例であり、（４０）はフェイスガード（４２）はつまみ部、（４４）は切り抜き部、（４６）はマウスガードである。ここでは、つまみ部（４２）は、別個に作った長方形状の布地を縫製で、フェイスガードの中央部上方につけ、フェイスガードは、このつまみ部（４２）を持って取り扱いが出来るようにしている。また一方で、切抜き部（４４）の形状を鼻の頭の部分が、少し見えるように切り抜き付加部（４４−１）を作り、フェイスガードを被せたときに鼻の頭が入って、上下・左右の安定を取るようにしている。
【００２６】  以上本願発明は、美容業界において、美容上生じる問題に対して、手持ちの補助手段で対応・対処すると言う問題を、求められる目的に沿った美容補助手段を開発し、より快適に問題解決を図るようにしたものである。具体的にはシャンプー時の飛沫が客の顔面にかかり、目に入って目が痛くなったり、顔面にかかり、化粧を損なうと言う問題に対して、タオルやガーゼ等の既存の補助手段で間に合わせるのではなく、独自に飛沫防止用のフェイスガードを作り、客にとっても店員にとっても、快適に対策対処できるようにした。そのため、このフェイスガードは、産業上の利用価値も高い。
【００２７】  なお本願発明は、本願明細書記載の具体例に限られず、本願発明の請求範囲として請求した内容を含むものである。
【図面の簡単な説明】
【００２８】
【図１】は、本願発明によるフェイスガードの１実施例の概略図である。
【図２】は、［図１］に示したフェイスガードを左右２つ折にしたときの側面図である。
【図３】は、［図１］に示したフェイスガードの布地部分の概略図である。
【図４】は、［図１］に示したフェイスガードを洗髪する客の顔面に被せたときの概略図である。
【図５】は、本願発明による他のフェイスガードの１実施例の概略図である。
【図６】は、本願発明による他のフェイスガードの１実施例の概略図である。
【図１】
2012081233.tif 000002
【図２】
2012081233.tif 000003
【図３】
2012081233.tif 000004
【図４】
2012081233.tif 000005
【図５】
2012081233.tif 000006
【図６】
2012081233.tif 000007